(57)【要約】 【課題】  音域変更後に各鍵に対して割り当てられた音高を容易に認識することができるようにする。【解決手段】  ハウジング１５に、所定の音域に相当する範囲に並列に隣接して設けられる複数の白鍵ＫＨ１〜ＫＨ１４と、前記複数の白鍵ＫＨ１〜ＫＨ１４のうち、音程を予め全音に対応付けて配置された隣接する２つの白鍵の間に設けられる複数の第１黒鍵ＫＢ１〜ＫＢ１０と、前記複数の白鍵ＫＨ１〜ＫＨ１４のうち、音程を予め半音に対応付けて配置された隣接する２つの白鍵ＫＨ３，ＫＨ４；ＫＨ７，ＫＨ８；ＫＨ１１，ＫＨ１２の間に設けられる複数の第２黒鍵ＫＢ１１，ＫＢ１２，ＫＢ１３と、最左端の白鍵ＫＨ１を前記所定の音域の最低音として各白鍵ＫＨ１〜ＫＨ１４、各第１黒鍵ＫＢ１〜ＫＢ１０および各第２黒鍵ＫＢ１１〜ＫＢ１３に音を割り当てた操作情報を、打鍵毎に出力する操作情報検出部２０と、ピッチベンドホイール１６と、モジュレーションホイール１７とを設ける。【選択図】      図２
2006047340.tif 000002
【特許請求の範囲】
【請求項１】
所定の音域に相当する範囲に並列に隣接して設けられる複数の白鍵と、
前記複数の白鍵のうち、音程を予め全音に対応付けて配置された隣接する２つの白鍵の間に設けられる複数の第１黒鍵と、
前記複数の白鍵のうち、音程を予め半音に対応付けて配置された隣接する２つの白鍵の間に設けられる複数の第２黒鍵と、
最左端の白鍵を前記所定の音域の最低音として各白鍵、各第１黒鍵および各第２黒鍵に音を割り当てた操作情報を、打鍵毎に出力する操作情報検出部とを含むことを特徴とする鍵盤装置。
【請求項２】
前記各複数の第１および第２黒鍵は、選択的に発光状態および非発光状態に切換えられる発光部を有することを特徴とする請求項１記載の鍵盤装置。
【請求項３】
前記各複数の第１および第２黒鍵を、選択的に白鍵とほぼ同一高さに下降させた状態に維持する非操作鍵ロック手段を含むことを特徴とする請求項１または２記載の鍵盤装置。
【請求項４】
前記所定の音域を変更するための音域変更操作部を有することを特徴とする請求項１〜３のいずれか１つに記載の鍵盤装置。
【請求項５】
所定の音域に相当する範囲に複数の白鍵が並列に隣接して設けられ、各白鍵の間のすべてに黒鍵が設けられ、最左端の白鍵を前記所定の音域の最低音として各白鍵および各黒鍵に音を割り当てた操作情報を出力する鍵盤装置と、
前記所定の音域を変更する音域変更手段と、
鍵盤装置からの操作情報に応答して、前記音域変更手段によって変更された音域の音信号を生成する音源と、
音源によって生成された音信号に基いて音響を出力する出力手段とを含むことを特徴とする電子鍵盤楽器。
【請求項６】
前記鍵盤装置の各黒鍵には、発光部がそれぞれ設けられ、
前記音域変更手段によって変更された音域に基いて、全音の白鍵間に配置されるべき黒鍵の発光部および半音の白鍵間に配置されるべき黒鍵の発光部の発光状態および非発光状態を選択的に切換えて動作させる発光制御部を含むことを特徴とする請求項５記載の電子鍵盤楽器。
【請求項７】
コンピュータを、
所定の音域に相当する範囲に複数の白鍵が並列に隣接して設けられ、各白鍵の間のすべてに発光部を有する黒鍵が設けられ、最左端の白鍵を前記所定の音域の最低音として各白鍵および各黒鍵に音を割り当てた操作情報を出力する鍵盤装置、
前記所定の音域を変更する音域変更手段、
鍵盤装置からの操作情報に応答して、前記音域変更手段によって変更された音域の音信号を生成する音源、
前記音域変更手段によって変更された音域に基いて、全音の白鍵間に配置されるべき黒鍵の発光部および半音の白鍵間に配置されるべき黒鍵の発光部の発光状態および非発光状態を選択的に切換えて動作させる発光制御部、および
音源によって生成された音信号に基いて音響を出力する出力手段、
として機能させることを特徴とするコンピュータによって実行可能な音響発生用プログラム。
【発明の詳細な説明】
【技術分野】
【０００１】
本発明は、電子ピアノなどの電子鍵盤楽器のキーボードとして好適に実施することができる鍵盤装置、この鍵盤装置を用いた電子鍵盤楽器およびその音響発生用プログラムに関する。
【背景技術】
【０００２】
近年のモバイルコンピューティング技術の発展によって、各種の通信機器、ゲーム機および音響機器の携帯性および性能がハードウェアおよびソフトウェアの両面で飛躍的に向上されている。音楽の分野においても、場所を問わずに気軽に音楽演奏を楽しむための、いわゆるモバイル楽器の開発が着目されている。
【０００３】
音域が広い楽曲を、電子鍵盤楽器によって演奏しようとする場合、その電子鍵盤楽器のキーボードとも呼ばれる鍵盤装置の音域に存在しない音高が現れたとき、鍵盤全体の音高を指定分だけずらす音域変更機能を用いることによって対処している。
【０００４】
音域変更機能は、打鍵している鍵とその出力音とが相違し、どの鍵に何の音高が割り当てられているかが判別不可能であり、演奏中に音域変更のための操作を行いにくいという問題がある。特に、携帯型鍵盤装置は、鍵盤が小型であるため音域が狭く、音域変更操作を頻繁に行わなければならず、演奏性が低下してしまうという問題がある。
【０００５】
前述の音域変更機能には、ピッチベンド機能、キートランスポート機能およびオクターブシフト機能の３種類がある。ピッチベンド機能は、鍵盤装置に搭載されているピッチホイールを上下に回動操作することによって、音域を滑らかに変化させることができる。また、ピッチホイールを最大回動量まで回動させたときの最大音域変化量も自由に設定することができ、半音ステップで最大２オクターブ分まで可能である。さらに、ピッチホイールは、ばね力によって中央の中立位置に戻るように構成されており、手指を離せば音域も初期状態に復帰してしまう。
【０００６】
キートランスポーズ機能は、鍵盤装置に搭載されている釦スイッチを用いて操作を行うものであり、前記ピッチベンド機能のように、連続的に音域を変更することはできないが、半音ステップで音域を変更することができる。また、一度音域を設定すると、再設定を行わない限り、音域は変化しない。
【０００７】
オクターブシフト機能は、前述のキートランスポーズ機能が半音ステップで音域を変更可能であるのに対し、１オクターブ単位で音域を変更する機能であり、前述のキートランスポーズ機能における＋１２度（半音の１２倍）だけ各鍵の音程を変更した場合と同様である。
【０００８】
前記ピッチベンド機能およびキートランスポーズ機能は、打鍵した鍵とその出力音との相違は、特に絶対音感のある者が感じる違和感として現れる。通常、満足に演奏できる楽曲であっても、音域を変更した状態では、その出力音を聴かないようにするという訓練をしないと、演奏途中で混乱が生じ、演奏を継続することが不可能となり、また、音域の変更を何度となく行った場合、どの鍵に何の音高が割り当てられているかについての奏者の認識が追従できなくなってしまうという問題がある。
【０００９】
前記ピッチベンド機能、キートランスポーズ機能およびオクターブシフト機能のいずれにおいても、ピッチホイールを操作するときの微妙な力加減による変更および設定が、半音単位または１オクターブ単位であるため、音域を変更するための操作回数が多く、頻繁な音域変更に対して各鍵に割り当てられた音高を即座に認識することができないという問題がある（たとえば、特許文献１参照）。
【００１０】
他の従来技術では、奏者が手元を見ずに手指が触れている鍵盤の位置を把握するために、白鍵と黒鍵とを交互に並べた構成とし、ピアノなどの鍵盤に対応する白鍵および黒鍵について、白鍵には凹部および凸部のいずれか一方を形成し、黒鍵には凹部および凸部のいずれか他方を形成して、移調などによって音域が変化しても、奏者は前記凹部および凸部の感触によって各鍵盤の位置を識別することができる鍵盤装置が提案されている（たとえば、特許文献２参照）。
【００１１】
このような他の従来の技術では、白鍵および黒鍵に凹部と凸部とが形成されることによって奏者に感触による鍵の位置を認識させることができるが、一旦所定の鍵に形成した前記凹部および凸部は演奏中に音域の変更に伴って移動させることはできないので、音域を変更した場合、各鍵とその鍵に割り当てられた音高とを奏者が容易に認識することができないという問題がある。
【００１２】
【特許文献１】特開２０００−３１５０８３号公報
【特許文献２】特開２００１−２９０４７３号公報
【発明の開示】
【発明が解決しようとする課題】
【００１３】
本発明の目的は、音域変更後に各鍵に対して割り当てられた音高を容易に認識することができるようにした鍵盤装置、この鍵盤装置を用いた電子鍵盤楽器および音響発生用プログラムを提供することである。
【課題を解決するための手段】
【００１４】
本発明は、所定の音域に相当する範囲に並列に隣接して設けられる複数の白鍵と、
前記複数の白鍵のうち、音程を予め全音に対応付けて配置された隣接する２つの白鍵の間に設けられる複数の第１黒鍵と、
前記複数の白鍵のうち、音程を予め半音に対応付けて配置された隣接する２つの白鍵の間に設けられる複数の第２黒鍵と、
最左端の白鍵を前記所定の音域の最低音として各白鍵、各第１黒鍵および各第２黒鍵に音を割り当てた操作情報を、打鍵毎に出力する操作情報検出部とを含むことを特徴とする鍵盤装置である。
【００１５】
本発明に従えば、所定の音域に相当する範囲に並列に隣接して複数の白鍵が設けられ、これらの白鍵のうちで全音に対応付けて配置された隣接する２つの白鍵の間には、第１黒鍵が設けられ、また各白鍵のうちで半音に対応付けて配置された隣接する２つの白鍵の間には、第２黒鍵がそれぞれ設けられる。各白鍵、各第１黒鍵および各第２黒鍵は、最左端の白鍵を所定の音域の最低音として音高が割り当てられ、これらの白鍵、第１黒鍵および第２黒鍵が打鍵されるごとに、打鍵された鍵に対応する操作情報が操作情報検出部によって出力される。
【００１６】
このような鍵盤装置を音源に接続することによって、操作情報検出部から所定の音域で操作された鍵に対応する操作情報、すなわち打鍵した鍵を示す鍵ナンバー情報、打鍵情報および離鍵情報などが出力され、この操作情報をたとえばコンピュータに取り込んで音源から出力音を発生させることができる。このような鍵盤装置は、各白鍵の間に第１および第２黒鍵が設けられるので、前記所定の音域をピッチベンド、キートランスポーズおよびオクターブシフトのいずれによって変更しても、本来白鍵が担う音高と黒鍵が担う音高とが反転してしまうことはなく、奏者から見て最左端の白鍵を変更後の音域の最低音として音高が半音単位で割り当てられていることだけを、音域を変更しようとするときに予め認識しておけば、音域変更後の操作に大きな違和感およびそれに伴う混乱が生じるおそれはなく、頻繁な音域変更が要求される広い音域の楽曲であっても、少ない鍵盤数の鍵盤装置によって、円滑かつ容易に音域を変更して演奏することができる。
【００１７】
また本発明は、前記各複数の第１および第２黒鍵は、選択的に発光状態および非発光状態に切換えられる発光部を有することを特徴とする。
【００１８】
本発明に従えば、第１および第２黒鍵には選択的に発光状態および非発光状態に切換えられる発光部が設けられるので、所定の音域に対応して割り当てられた音高の黒鍵の発光部を発光状態とし、音高が割り当てられない黒鍵を非発光状態とすることが可能となり、これによって音域変更後に第１および第２黒鍵に割り当てられた音高を、視覚的に、より明確に認識することができる。
【００１９】
さらに本発明は、前記各複数の第１および第２黒鍵を、選択的に白鍵とほぼ同一高さに下降させた状態に維持する非操作鍵ロック手段を含むことを特徴とする。
【００２０】
本発明に従えば、第１および第２黒鍵を選択的に白鍵とほぼ同一高さに下降させた状態に維持する非操作鍵ロック手段が設けられるので、所定の音域に対応して割り当てられた音高の黒鍵を白鍵よりも突出した状態に維持し、音高が割り当てられない黒鍵を下降させた状態とすることが可能となり、これによって音域変更後に第１および第２黒鍵に割り当てられた音高を、視覚的および感覚的に、より明確に認識することができる。
【００２１】
さらに本発明は、前記所定の音域を変更するための音域変更操作部を有することを特徴とする。
【００２２】
本発明に従えば、鍵盤装置自体に所定の音域を変更するための音域変更操作部が設けられるので、この音域変更操作部がピッチホイールによって実現される場合には、奏者は、演奏中に一方の手で鍵盤の操作を継続しながら、他方の手で音域変更操作部を操作して音域を変更することができ、また音域変更操作部がフットペダルによって実現される場合には、両手で鍵盤を操作しながら足でフットペダルを操作して音域を自由に変更することができ、音域変更による演奏の中断および演奏音の欠落などが生じることを防止することができる。
【００２３】
本発明は、所定の音域に相当する範囲に複数の白鍵が並列に隣接して設けられ、各白鍵の間のすべてに黒鍵が設けられ、最左端の白鍵を前記所定の音域の最低音として各白鍵および各黒鍵に音を割り当てた操作情報を出力する鍵盤装置と、
前記所定の音域を変更する音域変更手段と、
鍵盤装置からの操作情報に応答して、前記音域変更手段によって変更された音域の音信号を生成する音源と、
音源によって生成された音信号に基いて音響を出力する出力手段とを含むことを特徴とする電子鍵盤楽器である。
【００２４】
本発明に従えば、鍵盤装置は、所定の音域に相当する範囲に並列に隣接して複数の白鍵が設けられ、これらの白鍵の間には、黒鍵がそれぞれ設けられ、最左端の白鍵を前記所定の音域の最低音として各白鍵および各黒鍵に音を割り当てた操作情報が出力される。
【００２５】
このような鍵盤装置を音源に接続することによって、所定の音域で操作された鍵に対応する操作情報、すなわち打鍵した鍵を示す鍵ナンバー情報、打鍵情報および離鍵情報などが出力され、この操作情報をたとえばコンピュータ取り込んで音源から出力音を発生させることができる。このような鍵盤装置は、各白鍵の間にすべて、黒鍵が設けられるので、音域変更操作部によって前記所定の音域をピッチベンド、キートランスポーズおよびオクターブシフトのいずれによって変更しても、本来白鍵が担う音高と黒鍵が担う音高とが反転してしまうことはなく、奏者から見て最左端の白鍵を変更後の音域の最低音として音高が半音単位で割り当てられていることだけを、音域を変更しようとするときに予め認識しておけば、音域変更後の操作に大きな違和感およびそれに伴う混乱が生じるおそれはなく、頻繁な音域変更が要求される広い音域の楽曲であっても、少ない鍵盤数の鍵盤装置によって、円滑かつ容易に音域を変更して演奏することができる。
【００２６】
また、鍵盤装置自体に所定の音域を変更するための音域変更操作部が設けられるので、この音域変更操作部がピッチホイールによって実現される場合には、奏者は、演奏中に一方の手で鍵盤の操作を継続しながら、他方の手で音域変更操作部を操作して音域を変更することができ、また音域変更操作部がフットペダルによって実現される場合には、両手で鍵盤を操作しながら足でフットペダルを操作して音域を自由に変更することができ、音域変更による演奏の中断および演奏音の欠落などが生じることを防止することができる。
【００２７】
また本発明は、前記鍵盤装置の各黒鍵には、発光部がそれぞれ設けられ、
前記音域変更手段によって変更された音域に基いて、全音の白鍵間に配置されるべき黒鍵の発光部および半音の白鍵間に配置されるべき黒鍵の発光部の発光状態および非発光状態を選択的に切換えて動作させる発光制御部を含むことを特徴とする。
【００２８】
本発明に従えば、前記電子鍵盤楽器において、各黒鍵には選択的に発光状態および非発光状態に切換えられる発光部が設けられるので、所定の音域に対応して割り当てられた音高の黒鍵の発光部を発光状態とし、音高が割り当てられない黒鍵を非発光状態とすることが可能となり、これによって音域変更後に各黒鍵に割り当てられた音高を、視覚的に、より明確に認識することができる。
【００２９】
本発明は、コンピュータを、
所定の音域に相当する範囲に複数の白鍵が並列に隣接して設けられ、各白鍵の間のすべてに発光部を有する黒鍵が設けられ、最左端の白鍵を前記所定の音域の最低音として各白鍵および各黒鍵に音を割り当てた操作情報を出力する鍵盤装置、
前記所定の音域を変更する音域変更手段、
鍵盤装置からの操作情報に応答して、前記音域変更手段によって変更された音域の音信号を生成する音源、
前記音域変更手段によって変更された音域に基いて、全音の白鍵間に配置されるべき黒鍵の発光部および半音の白鍵間に配置されるべき黒鍵の発光部の発光状態および非発光状態を選択的に切換えて動作させる発光制御部、および
音源によって生成された音信号に基いて音響を出力する出力手段、
として機能させることを特徴とするコンピュータによって実行可能な音響発生用プログラムである。
【００３０】
本発明に従えば、コンピュータによってプログラムを実行することによって、鍵盤装置から所定の音域で操作された鍵に対応する操作情報、すなわち打鍵した鍵を示す鍵ナンバー情報、打鍵情報および離鍵情報などを出力させ、この操作情報をコンピュータに取り込んで、音源から出力音を発生させることができる。
【発明の効果】
【００３１】
本発明によれば、音域変更後の操作に大きな違和感およびそれに伴う混乱が生じるおそれはなく、頻繁な音域変更が要求される広い音域の楽曲であっても、少ない鍵盤数の鍵盤装置によって、円滑かつ容易に音域を変更して演奏することができる。
【００３２】
また本発明によれば、音域変更後に第１および第２黒鍵に割り当てられた音高を、視覚的に、より明確に認識することができる。
【００３３】
さらに本発明によれば、所定の音域に対応して割り当てられた音高の黒鍵を白鍵よりも突出した状態に維持し、音高が割り当てられない黒鍵を下降させた状態とすることが可能となり、これによって音域変更後に第１および第２黒鍵に割り当てられた音高を、視覚的および感覚的に、より明確に認識することができる。
【００３４】
さらに本発明によれば、鍵盤装置自体に所定の音域を変更するための音域変更操作部が設けられるので、音域変更による演奏の中断および演奏音の欠落などが生じることを防止することができる。
【００３５】
本発明によれば、音域変更後の操作に大きな違和感およびそれに伴う混乱が生じるおそれはなく、頻繁な音域変更が要求される広い音域の楽曲であっても、少ない鍵盤数の鍵盤装置によって、円滑かつ容易に音域を変更して演奏することができる。また、鍵盤装置自体に所定の音域を変更するための音域変更操作部が設けられるので、音域変更による演奏の中断および演奏音の欠落などが生じることを防止することができる。
【００３６】
また本発明によれば、各黒鍵には発光部が設けられるので、音域変更後に各黒鍵に割り当てられた音高を、視覚的に、より明確に認識することができる。
【００３７】
本発明によれば、コンピュータによってプログラムを実行することによって、鍵盤装置から所定の音域で操作された鍵に対応する操作情報をコンピュータに取り込み、音源から出力音を発生させることができる。
【発明を実施するための最良の形態】
【００３８】
図１は、本発明の実施の一形態の鍵盤装置２を備える電子鍵盤楽器１の電気的構成を示すブロック図である。本実施の形態の電子鍵盤楽器１は、鍵盤装置２、音響制御装置３、マウスによって実現される移動センサ４、フットコントローラ５、発光制御部６および音源である音響出力部７を含む。
【００３９】
音響制御装置３は、ＭＩＤＩ（Musical Instrument Digital Interface）規格に準拠した音響発生用シーケンスプログラムを実行し、ＭＩＤＩインターフェイスを内蔵したパーソナルコンピュータによって実現される。この音響制御装置３には、鍵盤装置２、移動センサ４、フットコントローラ５、発光制御部６および音響出力部７が、ケーブル８〜１２によってそれぞれ接続される。
【００４０】
図２は、鍵盤装置２を示す平面図である。前記鍵盤装置２は、ハウジング１５と、所定の音域に相当する範囲に並列に隣接して設けられる複数の白鍵ＫＨ１〜ＫＨ１４と、前記複数の白鍵ＫＨ１〜ＫＨ１４のうち、音程を予め全音に対応付けて配置された隣接する２つの白鍵ＫＨ１，ＫＨ２；ＫＨ２，ＫＨ３；ＫＨ４，ＫＨ５；ＫＨ５，ＫＨ６；ＫＨ６，ＫＨ７；ＫＨ８，ＫＨ９；ＫＨ９，ＫＨ１０；ＫＨ１０，ＫＨ１１；ＫＨ１２，ＫＨ１３；ＫＨ１３，ＫＨ１４の間に設けられる複数の第１黒鍵ＫＢ１〜ＫＢ１０と、前記複数の白鍵ＫＨ１〜ＫＨ１４のうち、音程を予め半音に対応付けて配置された隣接する２つの白鍵ＫＨ３，ＫＨ４；ＫＨ７，ＫＨ８；ＫＨ１１，ＫＨ１２の間に設けられる複数の第２黒鍵ＫＢ１１，ＫＢ１２，ＫＢ１３と、最左端の白鍵ＫＨ１を前記所定の音域の最低音として各白鍵ＫＨ１〜ＫＨ１４、各第１黒鍵ＫＢ１〜ＫＢ１０および各第２黒鍵ＫＢ１１〜ＫＢ１３に音を割り当てた操作情報を、打鍵毎に出力する操作情報検出部２０と、ピッチベンドホイール１６と、モジュレーションホイール１７とを含む。
【００４１】
前記白鍵ＫＨ１〜ＫＨ１４と第１および第２黒鍵ＫＢ１〜ＫＢ１０，ＫＢ１１〜ＫＢ１３とは、上下２段に横方向（図２の左右方向）に整列して、前記ハウジング１５から上方（図２の紙面に垂直手前側）に露出して設けられ、これらの白鍵ＫＨ１〜ＫＨ１４、第１黒鍵ＫＢ１〜ＫＢ１０および第２黒鍵ＫＢ１１〜ＫＢ１３の背後（図２の上方）には、各白鍵ＫＨ１〜ＫＨ１４、各第１黒鍵ＫＢ１〜ＫＢ１０および各第２黒鍵ＫＢ１１〜ＫＢ１３の操作情報、すなわち後述の打鍵情報（ノートオンデータともいう）、離鍵情報（ノートオフデータともいう）および鍵ナンバーを打鍵毎に検出して出力する前記操作情報検出部２０が設けられる。この操作情報検出部２０は、たとえば各鍵ごとに対応して設けられる複数の圧電センサと、各圧電センサからの出力を信号処理して前記操作情報を生成する信号処理回路とによって実現されてもよい。
【００４２】
ピッチベンドホイール１６は、図示しないばねのばね力によって、操作されていな自然状態では中立位置に復帰している。ピッチベンドホイール１６を上方Ａ１に回動操作すると、ＭＩＤＩデータのピッチベンド値を増加する方向に変化させ、音域を１度ずつ上へシフトさせることができる。また、ピッチベンドホイール１６を下方Ａ２に回動操作すると、ＭＩＤＩデータのピッチベンド値を減少する方向に変化させ、音域を１度ずつ下へシフトさせることができる。上記のようにピッチベンドホイール１６を上方Ａ１または下方Ａ２に回動させた後、ピッチベンドホイール１６から手を離すと、ピッチベンドホイール１６は中立位置へ復帰するが、ピッチベンド値は変更後の値に保たれる。
【００４３】
鍵盤装置２から音響制御装置３に送信されるＭＩＤＩメッセージは、「９０Ｈ  ｋｋＨ  ｗｗＨ」および「８０Ｈ  ｋｋＨ  ｗｗＨ」の鍵が打鍵／離鍵情報として使用するメッセージ、ならびに「Ｅ０Ｈ  ｌｌＨ  ｍｍＨ」の音域変更情報として使用するメッセージの３種類であり、メッセージの種類を表すステータスバイトと、実データを表すデータバイトとによって、１つのＭＩＤＩメッセージを構成する。
【００４４】
打鍵情報を示す「９０Ｈ  ｋｋＨ  ｗｗＨ」において、「９０」は鍵を押したことを示すノートオン・ステータスメッセージであり、「ｋｋ」は打鍵した鍵盤のナンバーを０〜１２７の段階で指定するデータであり、「ｗｗ」は打鍵の強さを０〜１２７の段階で指定するデータであり、「Ｈ」は１６進数であることを示す数値パラメータである。
【００４５】
離鍵情報を示す「８０Ｈ  ｋｋＨ  ｗｗＨ」において、「８０」は鍵を離したことを示すノートオフ・ステータスメッセージであり、「ｋｋ」は打鍵した鍵盤のナンバーを０〜１２７の段階で指定するデータであり、「ｗｗ」は打鍵の強さを０〜１２７の段階で指定するデータであり、「Ｈ」は１６進数であることを示す数値パラメータである。
【００４６】
音域変更情報を示す「Ｅ０Ｈ  ｌｌＨ  ｍｍＨ」において、「Ｅ０」はピッチベントチェンジ・ステータスメッセージであり、「ｌｌ」はピッチベンド値を０〜１２７の段階で指定するデータであり、「ｍｍ」はピッチベンド値を０〜１２７の段階で指定するデータであり、「Ｈ」は１６進数であることを示す数値パラメータである
このように、ピッチベンドホイール１６が鍵盤装置２に設けられるので、音域の変更を短時間で完了することができ、楽曲の演奏中であっても、演奏の中断および未操作による音の欠落などが生じない。
【００４７】
前記移動センサ４は、その移動量に応じて音域を変更することができる。すなわち、白鍵１つ分だけ前記鍵盤装置２全体を右に移動させると、移動センサ４がその移動量を検出し、ＭＩＤＩデータのピッチベンド値を増加する方向に変化させ、音域を１度ずつ上へシフトさせることができる。また、白鍵１つ分だけ鍵盤装置全体を左に移動させると、移動センサ４がその移動量を検出し、ＭＩＤＩデータのピッチベンド値を減少する方向に変化させ、音域を１度ずつ下へシフトさせることができる。
【００４８】
前記モジュレーションホイール１７は、ピッチベンドホイール１６のばねがない点を除いて前記ピッチベンドホイール１６と同様に構成される。したがって、基本的な機能はピッチベンドホイール１６と同様であり、上方Ａ１に回動操作すると、ＭＩＤＩデータのピッチベンド値を増加する方向に変化させ、音域を１度ずつ上へシフトすることができる。また、下方Ａ２に回動操作すると、ＭＩＤＩデータのピッチベンド値を減少する方向に変化させ、音域を１度ずつ下へシフトすることができる。但し、このモジュレーションホイール１７は、ピッチベンドホイール１６のように手を離すと中立位置へ復帰しないため、再度同じ方向へ回動操作したい場合は手動で戻してから操作する必要がある。
【００４９】
前記操作情報検出部２０は、各白鍵ＫＨ１〜ＫＨ１４または黒鍵ＫＢ１〜ＫＢ１０，ＫＢ１１〜ＫＢ１３を打鍵すると、操作された鍵に対応する操作情報、すなわち打鍵情報であるノートオンデータおよび離鍵情報であるノートオフデータ、打鍵した鍵を示す鍵ナンバー情報、打鍵の強さ情報をＭＩＤＩメッセージのフォーマットに従って、音響制御装置３に送信する。
【００５０】
このような操作情報検出部２０は、打鍵情報、離鍵情報および鍵ナンバー情報は打鍵の強さを示す情報は、前述したように圧力センサなどのスイッチング素子によって実現することができる。具体的に述べると、各鍵の下にスイッチング素子をそれぞれ設け、このスイッチング素子がＯＦＦからＯＮの状態になればノートオン、ＯＮからＯＦＦの状態になればノートオフを検出することができる。また、各スイッチング素子を、たとえばマイクロコンピュータチップ（ワンチップマイコンとも略称される）の１つのポートにそれぞれ対応させて接続し、マイクロコンピュータはデータをどのポートから受信したかを検出することによって、鍵ナンバー情報を取得することができる。さらに、各鍵の下に圧力センサを設置し、打鍵したときにかかる圧力値によって、打鍵の強さを取得することができる。
【００５１】
図３は、黒鍵ＫＢ１１およびその付近の断面図である。前記各複数の第１および第２黒鍵ＫＢ１〜ＫＢ１４，ＫＢ１１〜ＫＢ１３には、選択的に発光状態および非発光状態に切換えられる発光部２１がそれぞれ設けられる。この発光部２１は、たとえば発光ダイオードによって実現される。また各複数の第１および第２黒鍵ＫＢ１〜ＫＢ１４，ＫＢ１１〜ＫＢ１３は、透光性を有するたとえば硬質シリコーン樹脂からなるキー本体２３と、キー本体２３の底面、図３の紙面に垂直な幅方向両側の両側面および発光部２１に対向する奏者側に臨む端面に形成される光反射層２４とを有する。発光部２１が発光して、たとえば白色光を発生すると、その光はキー本体２３内へ照射され、光反射層２４によって反射され、奏者が上方からそのキー本体を視認すると、白く認識され、白鍵ＫＨ１〜ＫＨ１４との色調が類似して認識される。したがって、第２黒鍵ＫＢ１１，ＫＢ１２，ＫＢ１３に設けられる発光部２１を発光させることによって、発光部２１が未発光とされる残余の第１黒鍵ＫＢ１〜ＫＢ１４は黒く視認され、使用可能な黒鍵を明瞭に認識することができる。
【００５２】
このような各発光部２１の発光／未発光は、発光制御部６によって制御され、音響制御装置３から「光らせない黒鍵ナンバー」の信号を発光制御部６が受信することによって実行される。このような無音の第２黒鍵ＫＢ１１〜ＫＢ１３は、ＭＩＤＩメッセージを実行するプログラム上、上記の打鍵情報および離鍵情報は「Ｎｕｌｌ」に設定されている。前記「光らせない黒鍵ナンバー」は、音響制御装置３がピッチベンドホイール１６、モジュレーションホイール１７、移動センサ４およびフットコントローラ５のいずれかによって音域が変更されたとき、変更された音域における無音（Ｎｕｌｌ）以外の発音させるべき黒鍵に割り当てられる黒鍵ナンバーである。
【００５３】
鍵盤装置２はまた、各複数の第１および第２黒鍵を、選択的に白鍵とほぼ同一高さに下降させた状態に維持する非操作鍵ロック手段２５を含む。この非操作鍵ロック手段２５は、電磁ソレノイドによって実現され、発光制御部６によって、「光らせない黒鍵ナンバー」に対応するプランジャ２６が伸長し、その黒鍵を下方へ押し下げる。各複数の第１および第２黒鍵ＫＢ１〜ＫＢ１４，ＫＢ１１〜ＫＢ１３は、軸２７の軸線まわりに回動自在に支持され、ばね２８によって上方（矢符Ａ方向）へばね付勢された状態で、前記プランジャ２６に当接して上方から支持されている。
【００５４】
したがって、プランジャ２６はばね２８のばね力に抗して第２黒鍵ＫＢ１１〜ＫＢ１３を下方へ押し下げ、白鍵ＫＨ１〜ＫＨ１４とほぼ同一高さに下降させる。これによって、奏者は、第２黒鍵ＫＢ１１〜ＫＢ１３を、現音域では使用しない鍵盤であることを、より一層明確に視覚的にかつ触覚的に認識することができる。
【００５５】
図４は、フットコントローラ５の具体的構成を説明するための図である。前記フットコントローラ５は、複数のナンバーペダル３０ａ〜３０ｅを備え、いずれかのナンバーペダルを押下すると、ＭＩＤＩデータである音域変更情報「Ｃ０Ｈ  ｐｐＨ」が音響制御装置３に送信される。ここに、「Ｃ０」は、音色の切換えを示すプログラムチェンジ・ステータスメッセージであり、プログラムナンバー「ｐｐ」によって００〜０９の１０種類の音色を指定することができる。なお、「Ｈ」は１６進数であることを示す数値パラメータである。
【００５６】
フットコントローラ５から音域変更情報「Ｃ０Ｈ  ｐｐＨ」を受信した音響制御装置３は、音域変更情報が「Ｃ０Ｈ  ００Ｈ」であれば２オクターブ高い音域にシフトさせる信号を、「Ｃ０Ｈ  ０１Ｈ」であれば１オクターブ高い音域にシフトさせる信号を、「Ｃ０Ｈ  ０２Ｈ」であれば５度高い音域にシフトさせる信号を、「Ｃ０Ｈ  ０３Ｈ」であれば３度高い音域にシフトさせる信号を、「Ｃ０Ｈ  ０４Ｈ」であれば１度高い音域にシフトさせる信号を、「Ｃ０Ｈ  ０５Ｈ」であれば２オクターブ低い音域にシフトさせる信号を、「Ｃ０Ｈ  ０６Ｈ」であれば１オクターブ低い音域にシフトさせる信号を、「Ｃ０Ｈ  ０７Ｈ」であれば５度低い音域にシフトさせる信号を、「Ｃ０Ｈ  ０８Ｈ」であれば３度低い音域にシフトさせる信号を、「Ｃ０Ｈ  ０９Ｈ」であれば１度低い音域にシフトさせる信号を、音響出力部７へ送信して発音させる。
【００５７】
本実施の携帯によれば、所定の音域に相当する範囲に並列に隣接して複数の白鍵ＫＨ１〜ＫＨ１４が設けられ、これらの白鍵ＫＨ１〜ＫＨ１４のうちで全音に対応付けて配置された隣接する２つの白鍵ＫＨ１，ＫＨ２；ＫＨ２，ＫＨ３；ＫＨ４，ＫＨ５；ＫＨ５，ＫＨ６；ＫＨ６，ＫＨ７；ＫＨ８，ＫＨ９；ＫＨ９，ＫＨ１０；ＫＨ１０，ＫＨ１１；ＫＨ１２，ＫＨ１３；ＫＨ１３，ＫＨ１４の間には、第１黒鍵ＫＢ１〜ＫＢ１４が設けられ、また各白鍵ＫＨ１〜ＫＨ１４のうちで半音に対応付けて配置された隣接する２つの白鍵ＫＨ３，ＫＨ４；ＫＨ７，ＫＨ８；ＫＨ１１，ＫＨ１２の間には、第２黒鍵ＫＢ１１〜ＫＢ１３がそれぞれ設けられる。各白鍵ＫＨ１〜ＫＨ１４、各第１黒鍵ＫＢ１〜ＫＢ１４および各第２黒鍵ＫＢ１１〜ＫＢ１３は、最左端の白鍵を所定の音域の最低音として音高が割り当てられ、これらの白鍵ＫＨ１〜ＫＨ１４、第１黒鍵ＫＢ１〜ＫＢ１４および第２黒鍵ＫＢ１１〜ＫＢ１３が打鍵されるごとに、打鍵された鍵に対応する操作情報が操作情報検出部２０によって出力される。
【００５８】
このような鍵盤装置１を音響出力部７に接続することによって、操作情報検出部２０から所定の音域で操作された鍵に対応する操作情報、すなわち打鍵した鍵を示す鍵ナンバー情報、打鍵情報であるノートオンデータおよび離鍵情報であるノートオフデータなどが出力され、この操作情報をたとえば音響制御装置３に取り込んで音響出力部７から出力音を発生させることができる。このような鍵盤装置１は、各白鍵ＫＨ１〜ＫＨ１４の間に第１および第２黒鍵ＫＢ１〜ＫＢ１４，ＫＢ１１〜ＫＢ１３が設けられるので、前記所定の音域をピッチベンド、キートランスポーズおよびオクターブシフトのいずれによって変更しても、本来白鍵が担う音高と黒鍵が担う音高とが反転してしまうことはなく、奏者から見て最左端の白鍵ＫＨ１を変更後の音域の最低音として音高が半音単位で割り当てられていることだけを、音域を変更しようとするときに予め認識しておけば、音域変更後の操作に大きな違和感およびそれに伴う混乱が生じるおそれはなく、頻繁な音域変更が要求される広い音域の楽曲であっても、少ない鍵盤数の鍵盤装置によって、円滑かつ容易に音域を変更して演奏することができる。
【００５９】
また本実施の形態によれば、第１および第２黒鍵ＫＢ１〜ＫＢ１４，ＫＢ１１〜ＫＢ１３には選択的に発光状態および非発光状態に切換えられる発光部２１が設けられるので、所定の音域に対応して割り当てられた音高の黒鍵ＫＢ１〜ＫＢ１４の発光部を発光状態とし、音高が割り当てられない黒鍵ＫＢ１１〜ＫＢ１３を非発光状態とすることが可能となり、これによって音域変更後に第１および第２黒鍵ＫＢ１〜ＫＢ１４，ＫＢ１１〜ＫＢ１３に割り当てられた音高を、視覚的に、より明確に認識することができる。
【００６０】
さらに本実施の形態によれば、第１および第２黒鍵ＫＢ１〜ＫＢ１４，ＫＢ１１〜ＫＢ１３を選択的に白鍵ＫＨ１〜ＫＨ１４とほぼ同一高さに下降させた状態に維持する非操作鍵ロック手段２５が設けられるので、所定の音域に対応して割り当てられた音高の黒鍵を白鍵ＫＨ１〜ＫＨ１４よりも突出した状態に維持し、音高が割り当てられない黒鍵を下降させた状態とすることが可能となり、これによって音域変更後に第１および第２黒鍵に割り当てられた音高を、視覚的および感覚的に、より明確に認識することができる。
【００６１】
さらに本実施の形態によれば、鍵盤装置２自体に所定の音域を変更するための音域変更操作部であるピッチホイール１６が設けられるので、奏者は、演奏中に一方の手で鍵盤の操作を継続しながら、他方の手でピッチホイール１６を操作して音域を変更することができる。また、音域変更操作部としてフットコントローラ５が設けられるので、両手で鍵盤を操作しながら足でナンバーペダル３０ａ〜３０ｅを操作して音域を自由に変更することができ、音域変更による演奏の中断および演奏音の欠落などが生じることを防止することができる。
【図面の簡単な説明】
【００６２】
【図１】本発明の実施の一形態の鍵盤装置２を備える電子鍵盤楽器１の電気的構成を示すブロック図である。
【図２】鍵盤装置２を示す平面図である。
【図３】黒鍵ＫＢ１１およびその付近の断面図である。
【図４】フットコントローラ５の具体的構成を説明するための図である。
【符号の説明】
【００６３】
１  電子鍵盤楽器
２  鍵盤装置
３  音響制御装置
４  移動センサ
５  フットコントローラ
６  発光制御部
７  音響出力部
８〜１２  ケーブル
１５  ハウジング
１６  ピッチベンドホイール
１７  モジュレーションホイール
２０  操作情報検出部
２５  非操作鍵ロック手段
ＫＨ１〜ＫＨ１４  白鍵
ＫＢ１〜ＫＢ１４  第１黒鍵
ＫＢ１１〜ＫＢ１３  第２黒鍵
【図１】
2006047340.tif 000003
【図２】
2006047340.tif 000004
【図３】
2006047340.tif 000005
【図４】
2006047340.tif 000006